(57)【特許請求の範囲】
【請求項１】
ロータリー爪軸（１）の外周に設けた多数の爪ホルダー（２）に、それぞれ耕耘爪（６）を着脱自在に取り付けて構成されるロータリー耕耘装置において、固定孔（４ａ）と連結孔（４ｂ）を穿設したワイヤーブラケット（４）を設け、該ワイヤーブラケット（４）の固定孔（４ａ）に、両最外側の爪ホルダー（２）に挿入する耕耘爪（６）の基端部（６ａ）を挿入し、該両最外側の爪ホルダー（２）に締結される耕耘爪（６）には、爪ホルダー（２）から突出した部分の根部が屈曲した屈曲部（６ｂ）を形成し、該耕耘爪（６）が爪ホルダー（２）に締結された状態で、該屈曲部（６ｂ）がワイヤーブラケット（４）を爪ホルダー（２）側へ押圧し、ワイヤーブラケット（４）を爪ホルダー（２）に固定し、該ワイヤーブラケット（４）間にワイヤー部材（５）を横架し、前記ワイヤー部材（５）の両端部（５ａ・５ａ）のワイヤーブラケット（４）への連結部を、屈曲して長孔状に形成し、該連結部の長孔形状を、先細となるテーパー状に形成し、該連結部をワイヤーブラケット（４）の前記連結孔（４ｂ）に固設したピン部材に掛合することで、該ワイヤー部材（５）とワイヤーブラケット（４）とを連結したことを特徴とするロータリー耕耘装置の草藁巻付防止機構。
【発明の詳細な説明】
【０００１】
【発明の属する技術分野】
本発明は、トラクタ等に装着されるロータリー耕耘装置において、草藁等が耕耘軸に巻き付くことを防止するための草藁巻付防止機構の構成に関する。
【０００２】
【従来の技術】
従来から、ロータリー爪軸の外周に放射状に設けた多数の爪ホルダに、それぞれ耕耘爪を着脱自在に取り付けて構成されるロータリー耕耘装置は公知である。このようなロータリー耕耘装置においては、雑草のすきこみ作業や耕耘作業等を行う際、ロータリー爪軸に草や藁等の長稈が巻き付くため、該ロータリー爪軸の外周外方に、該ロータリー爪軸と略平行にワイヤー部材を横架して、該ワイヤー部材をロータリー爪軸と一体的に回転させることで、草藁の巻き付きを防止していた。
【０００３】
【発明が解決しようとする課題】
しかし、前記ワイヤー部材を架設する場合は、両最外側の爪ホルダーにワイヤーブラケットをボルトで締結する等して取り付け、さらに該両ワイヤーブラケットにワイヤー部材の両端部を連結する際には、連結部材を介して両者を連結する構成としていたので、該ワイヤー部材の架設作業が煩雑となり、草藁巻付防止のための機構がコスト的に高いものとなっていた。
【０００４】
また、従来の草藁巻付防止機構においては、架設されたワイヤー部材の張力を調節することができなかったので、作業途中にワイヤー部材に弛みや伸びが生じた場合には、そのままの状態で回転することとなり巻付防止効果が低減していた。
【０００５】
【課題を解決するための手段】
本発明は、以上のような課題を解決するために、次のような手段を用いる。
【０００６】
ロータリー爪軸（１）の外周に設けた多数の爪ホルダー（２）に、それぞれ耕耘爪（６）を着脱自在に取り付けて構成されるロータリー耕耘装置において、固定孔（４ａ）と連結孔（４ｂ）を穿設したワイヤーブラケット（４）を設け、該ワイヤーブラケット（４）の固定孔（４ａ）に、両最外側の爪ホルダー（２）に挿入する耕耘爪（６）の基端部（６ａ）を挿入し、該両最外側の爪ホルダー（２）に締結される耕耘爪（６）には、爪ホルダー（２）から突出した部分の根部が屈曲した屈曲部（６ｂ）を形成し、該耕耘爪（６）が爪ホルダー（２）に締結された状態で、該屈曲部（６ｂ）がワイヤーブラケット（４）を爪ホルダー（２）側へ押圧し、ワイヤーブラケット（４）を爪ホルダー（２）に固定し、該ワイヤーブラケット（４）間にワイヤー部材（５）を横架し、前記ワイヤー部材（５）の両端部（５ａ・５ａ）のワイヤーブラケット（４）への連結部を、屈曲して長孔状に形成し、該連結部の長孔形状を、先細となるテーパー状に形成し、該連結部をワイヤーブラケット（４）の前記連結孔（４ｂ）に固設したピン部材に掛合することで、該ワイヤー部材（５）とワイヤーブラケット（４）とを連結したものである。
【０００７】
【発明の実施の形態】
本発明の解決すべき課題及び手段は以上の如くであり、次に添付の図面に示した本発明の一実施例を説明する。
【０００８】
図１は本発明の草藁巻付防止機構を備えたロータリー耕耘装置のロータリー爪軸を示す斜視図、図２は爪ホルダーへのワイヤーブラケットの固定状態及びワイヤーブラケットとワイヤー部材との連結状態を示す側面図、図３は同じく平面図、図４はワイヤーブラケットを示す側面断面図、図５は同じく平面図、図６はワイヤー部材の端部形状の第二の実施例を示す平面図、図７は同じく第三の実施例を示す平面図、図８は図６及び図７におけるワイヤー部材の端部のワイヤーブラケットへの連結状態を示す側面断面図、図９はワイヤー部材の端部近傍をコイル状に形成した例を示す平面図である。
【０００９】
まず、本発明の草藁巻付防止機構を備えたロータリー耕耘装置のロータリー爪軸について説明する。図１に示すように、ロータリー爪軸１の外周には多数の爪ホルダー２・２・・・が放射状に突出している。該爪ホルダー２・２・・・は、側面視において、互いに突出方向を一定角度ずつずらして配置されており、両最外側に配設される爪ホルダー２・２の位相は互いに略同じに構成されている。各爪ホルダー２・２・・・にはそれぞれ耕耘爪６が挿入され、ボルト３により締結することで、該耕耘爪６を爪ホルダー２に取付固定している。
【００１０】
ロータリー爪軸１の両最外側に配設される爪ホルダー２・２には、それぞれワイヤーブラケット４・４が取付固定されており、該ワイヤーブラケット４・４間には、例えばピアノ線等の鋼線にて構成されたワイヤー部材５が横架されている。
ワイヤーブラケット４は、図２乃至図５に示すように板状部材により構成されており、該ワイヤーブラケット４には、耕耘爪６の基端部６ａが挿入される固定孔４ａ、及び、ワイヤーブラケット４とワイヤー部材５とを連結するためのボルト７が螺挿される連結孔４ｂとが形成されている。該固定孔４ａは耕耘爪６の基端部６ａの形状に合わせた形状に形成されている。
【００１１】
そして、ワイヤーブラケット４の固定孔４ａに耕耘爪６の基端部６ａを挿入し、さらに耕耘爪６の基端部６ａを爪ホルダー２に先端側から挿入して、その後、耕耘爪６と爪ホルダー２とをボルト３により締結するように構成している。
両最外側の爪ホルダー２に締結された耕耘爪６においては、爪ホルダー２から突出した部分の根部が屈曲して屈曲部６ｂを形成している。このように、該耕耘爪６が爪ホルダー２に締結された状態では、該屈曲部６ｂがワイヤーブラケット４を爪ホルダー２側へ押圧することとなり、これにより、ワイヤーブラケット４が爪ホルダー２に固定されている。
即ち、ワイヤーブラケット４は、耕耘爪６とともに爪ホルダー２に共に固定されているのである。
【００１２】
また、ワイヤーブラケット４にはボルト７が螺挿されており、ワイヤー部材５の両端部５ａ・５ａが、それぞれボルト７に掛合されるとともに、カバー８を介してワイヤーブラケット４へ締結されている。ワイヤー部材５のワイヤーブラケット４への連結部である端部５ａは屈曲されて長孔状に形成されており、この長孔内をボルト７が通過している。該端部５ａの長孔はボルト７に対して摺動自在に掛合され、該端部５ａの長孔形状は該ワイヤー部材５の架設方向に形成されているため、ボルト７を緩めて、端部５ａをワイヤー部材５の架設方向に摺動させることで、該ワイヤー部材５の張り具合を調節することができる。
【００１３】
このように、ワイヤー部材５の両端部５ａ・５ａを長孔形状に形成して、ワイヤー部材５の張り具合を調節可能に構成することにより、該ワイヤー部材５の張力を適正な大きさに適宜調節することが可能となり、作業途中にワイヤー部材５に弛みや伸びが生じた場合でも、ボルト７を緩めてワイヤー部材５の張り具合を調節することで、草藁の巻付防止に適した張力でワイヤー部材５を張架することができ、常に高い巻付防止効果を維持することが可能となる。
【００１４】
また、本草藁巻付防止機構においては、ワイヤー部材５が架設され、最外側の爪ホルダー２に取付固定されるワイヤーブラケット４を、耕耘爪６とともに爪ホルダー２に共に固定するように構成しているので、耕耘爪６を爪ホルダー２に取り付ける際に、該耕耘爪６の基端部６ａをワイヤーブラケット４の固定孔４ａに挿入するたけで、特別な作業なしに該ワイヤーブラケット４を爪ホルダー２に取付固定することが可能となる。
さらに、ワイヤー部材５は、その端部５ａをボルト７を締結することで直接ワイヤーブラケット４と連結するように構成しているので、連結作業も容易に行うことができる。
以上の如く、草藁巻付防止機構を簡単にすることができて、ワイヤー部材の架設作業を容易にするとともに、コスト低減を図ることができる。
【００１５】
また、前記ワイヤー部材５のワイヤーブラケット４への連結部である端部５ａは次のような形状に形成することもできる。即ち、図６乃至図８に示すように、前記ワイヤー部材５の端部５ａの長孔形状を、先細となるテーパー状に形成する。そして、ワイヤーブラケット４に螺挿したボルト７の外周にスリーブ１０を外嵌して、該スリーブ１０にワイヤー部材５の端部５ａを掛合するのである。
【００１６】
ワイヤー部材５はピアノ線等の鋼線により構成されており、該ワイヤー部材５を屈曲して先細となるテーパー状に形成した端部５ａは弾性力を有している。
また、スリーブ１０の外径は端部５ａのテーパー状に形成した部分の内径よりも大きく形成しており、スリーブ１０に掛合された端部５ａは押し広げられることとなる。スリーブ１０により押し広げられた端部５ａは弾性力を有しているので、元に戻ろうとする端部５ａにはスリーブ１０に対してワイヤー部材５の先端側（ロータリー爪軸１の外側）へ移動する方向の付勢力が働く。
【００１７】
このように、先細となるテーパー状に形成した端部５ａを、ワイヤーブラケット４に固設されたピン部材としてのスリーブ１０へ掛合させることで、ワイヤー部材５の両端部５ａ・５ａに外側方向の付勢力が働くこととなるので、該ワイヤー部材５は一定の張力を保持することができる。また、作業途中にワイヤー部材５に弛みや伸びが生じた場合でも、両端部５ａ・５ａの外側方向への付勢力により該両端部５ａ・５ａが外側方向へ移動して、ワイヤー部材５は自動的に一定の張力で張架されることとなり、常に高い巻付防止効果を維持することが可能となる。
【００１８】
尚、本例の場合、端部５ａはボルト７に外嵌したスリーブ１０に掛合しているが、該ボルト７をピン部材として、該ボルト７に直接端部５ａを掛合してもよい。また、図８に示すように、ワイヤーブラケット４から突出するボルト７の先端部には、該ボルト７の弛み止めとしてキャップ１１を螺嵌している。
【００１９】
また、ワイヤー部材５を一定の張力に保持するために、次のように構成することもできる。即ち、図９においては、ワイヤーブラケット４に固設されたピン部材としてのボルト７に、ワイヤー部材５の端部５ａが掛合されており、該端部５ａの近傍のワイヤー部材５がコイル状に屈曲されて張力調整機構部５ｂを形成している。該張力調整機構部５ｂは、一方の端部５ａ近傍、又は両方の端部５ａ近傍に形成されている。
【００２０】
該張力調整機構部５ｂはコイル状に形成されバネ弾性力を有しているため、ワイヤー部材５には、張力調整機構部５ｂによって張力が与えられる方向の付勢力が働いている。
従って、前述の場合と同様にワイヤー部材５の張力を一定に保持することができる。また、作業途中にワイヤー部材５に弛みや伸びが生じた場合でも、張力調整機構部５ｂの付勢力により、ワイヤー部材５は自動的に一定の張力で張架されることとなり、常に高い巻付防止効果を維持することが可能となる。
【００２１】
【発明の効果】
本発明は、以上のように構成したことにより、次のような効果が得られる。
ロータリー爪軸（１）の外周に設けた多数の爪ホルダー（２）に、それぞれ耕耘爪（６）を着脱自在に取り付けて構成されるロータリー耕耘装置において、固定孔（４ａ）と連結孔（４ｂ）を穿設したワイヤーブラケット（４）を設け、該ワイヤーブラケット（４）の固定孔（４ａ）に、両最外側の爪ホルダー（２）に挿入する耕耘爪（６）の基端部（６ａ）を挿入し、該両最外側の爪ホルダー（２）に締結される耕耘爪（６）には、爪ホルダー（２）から突出した部分の根部が屈曲した屈曲部（６ｂ）を形成し、該耕耘爪（６）が爪ホルダー（２）に締結された状態で、該屈曲部（６ｂ）がワイヤーブラケット（４）を爪ホルダー（２）側へ押圧し、ワイヤーブラケット（４）を爪ホルダー（２）に固定し、該ワイヤーブラケット（４）間にワイヤー部材（５）を横架し、前記ワイヤー部材（５）の両端部（５ａ・５ａ）のワイヤーブラケット（４）への連結部を、屈曲して長孔状に形成し、該連結部の長孔形状を、先細となるテーパー状に形成し、該連結部をワイヤーブラケット（４）の前記連結孔（４ｂ）に固設したピン部材に掛合することで、該ワイヤー部材（５）とワイヤーブラケット（４）とを連結したので、耕耘爪を爪ホルダーに取り付ける際に、該耕耘爪の基端部をワイヤーブラケットの固定孔に挿入するたけで、特別な作業なしに該ワイヤーブラケットを爪ホルダーに取付固定することが可能となり、草藁巻付防止機構を簡単にすることができて、ワイヤー部材の架設作業を容易にするとともに、コスト低減を図ることができる。
【００２２】
また、前記ワイヤー部材両端のワイヤーブラケットへの連結部を屈曲して長孔状に形成し、該連結部を締結部材にてワイヤーブラケットに締結することで、該ワイヤー部材とワイヤーブラケットとを連結したので、ワイヤー部材のの張力を適正な大きさに適宜調節することが可能となり、例えば、作業途中にワイヤー部材に弛みや伸びが生じた場合でも、ボルトを緩めてワイヤー部材の張り具合を調節することで、草藁の巻付防止に適した張力でワイヤー部材を張架することができ、常に高い巻付防止効果を維持することが可能となる。
【００２３】
また、前記ワイヤー部材両端のワイヤーブラケットへの連結部を屈曲して長孔状に形成し、該連結部の長孔形状を、先細となるテーパー状に形成し、該連結部をワイヤーブラケットに固設したピン部材に掛合することで、該ワイヤー部材とワイヤーブラケットとを連結したので、該ワイヤーブラケットの連結部のテーパー形状により、該連結部に外側方向の付勢力が働くこととなって、該ワイヤー部材は一定の張力を保持することができる。
また、作業途中にワイヤー部材に弛みや伸びが生じた場合でも、連結部の外側方向への付勢力により該連結部が外側方向へ移動して、ワイヤー部材は自動的に一定の張力で張架されることとなり、常に高い巻付防止効果を維持することが可能となる。
【図面の簡単な説明】
【図１】  本発明の草藁巻付防止機構を備えたロータリー耕耘装置のロータリー爪軸を示す斜視図である。
【図２】  爪ホルダーへのワイヤーブラケットの固定状態及びワイヤーブラケットとワイヤー部材との連結状態を示す側面図である。
【図３】  同じく平面図である。
【図４】  ワイヤーブラケットを示す側面断面図である。
【図５】  同じく平面図である。
【図６】  ワイヤー部材の端部形状の第二の実施例を示す平面図である。
【図７】  同じく第三の実施例を示す平面図である。
【図８】  図６及び図７におけるワイヤー部材の端部のワイヤーブラケットへの連結状態を示す側面断面図である。
【図９】  ワイヤー部材の端部近傍をコイル状に形成した例を示す平面図である。
【符号の説明】
１  ロータリー爪軸
２  爪ホルダー
４  ワイヤーブラケット
４ａ  固定孔
５  ワイヤー部材
５ａ  端部
５ｂ  張力調整機構部
６  耕耘爪
６ａ  基端部
７ボルト
１０  スリーブ
【図１】
0003909166.tif 000002
【図２】
0003909166.tif 000003
【図３】
0003909166.tif 000004
【図４】
0003909166.tif 000005
【図５】
0003909166.tif 000006
【図６】
0003909166.tif 000007
【図７】
0003909166.tif 000008
【図８】
0003909166.tif 000009
【図９】
0003909166.tif 000010